(57)【要約】【課題】ＬＥＤの高速応答性を利用して省電力化した電気光学装置を提供する。【解決手段】表示デバイス５に光を照射するためのバックライト装置４として高輝度ＬＥＤ等の高速応答のデバイスを用いる。従来の表示デバイスでは、バックライトは常時一定光量で点灯しており、暗い映像の場合、映像信号の輝度が暗くなるのみであったが、この装置では、光源の高速応答性を利用し、映像が暗い画面では、この映像を明るく変換し、これに合わせて光源を暗くすることで、暗い映像信号をそのまま再生した場合と同じ映像を表示できるようにし、光源を暗くした分だけ省電力を可能にしている。【選択図】図１
2007233012.tif 000002
【特許請求の範囲】
【請求項１】
映像信号を可視化する光透過型のカラー表示素子と、
前記カラー表示素子を駆動するカラー表示素子駆動回路と、
前記カラー表示素子の背面から光を照射するＲ，Ｇ，Ｂ色の光源と、
前記Ｒ，Ｇ，Ｂ色毎の光源を点灯させる光源駆動回路と、
単位時間の映像信号のＲ，Ｇ，Ｂ色毎に輝度値のピーク値を検出するピーク検出手段と、
前記ピーク検出手段によって検出されたＲ，Ｇ，Ｂ色毎のピーク値に基づいて前記単位時間の映像信号のＲ，Ｇ，Ｂ色毎の輝度値を増加させて前記カラー表示素子駆動回路に供給するとともに、前記Ｒ，Ｇ，Ｂ色毎のピーク値に基づいて前記Ｒ，Ｇ，Ｂ色毎の光源の光量を減少させるよう前記光源駆動回路を制御する映像信号変換部と
を備えることを特徴とする電気光学装置。
【請求項２】
前記ピーク検出手段によって検出されたＲ，Ｇ，Ｂ色毎のピーク値の輝度上限値に対する比率または差分に基づく変換係数をＲ，Ｇ，Ｂ色毎に算出する変換係数算出手段を備え、
前記映像信号変換部は、前記単位時間の映像信号のＲ，Ｇ，Ｂ色毎の輝度値を前記Ｒ，Ｇ，Ｂ色毎の変換係数に基づいて増加させて前記カラー表示素子駆動回路に供給するとともに、前記Ｒ，Ｇ，Ｂ色毎の変換係数に基づいて前記Ｒ，Ｇ，Ｂ色毎の光源の光量を減少させるよう前記光源駆動回路を制御する
ことを特徴とする請求項１に記載の電気光学装置。
【請求項３】
前記映像信号変換部は、前記変換係数算出手段によって算出されたＲ，Ｇ，Ｂ色毎の変換係数が所定の閾値未満であった場合には前記閾値を変換係数として設定し、前記単位時間の映像信号のＲ，Ｇ，Ｂ色毎の輝度値を前記Ｒ，Ｇ，Ｂ色毎の変換係数に基づいて増加させて前記カラー表示素子駆動回路に供給するとともに、前記Ｒ，Ｇ，Ｂ色毎の変換係数に基づいて前記Ｒ，Ｇ，Ｂ色毎の光源の光量を減少させるよう前記光源駆動回路を制御する
ことを特徴とする請求項２に記載の電気光学装置。
【請求項４】
前記変換係数算出手段は、今回の単位時間および過去の１または複数の単位時間の処理時に算出した比率または差分に基づいて前記Ｒ，Ｇ，Ｂ色毎の変換係数を算出する
ことを特徴とする請求項２または請求項３に記載の電気光学装置。
【請求項５】
前記変換係数算出手段は、今回の単位時間および過去の１または複数の単位時間の処理時に算出した比率または差分を加重平均することによってＲ，Ｇ，Ｂ色毎の変換係数を算出し、今回の単位時間の比率が直前の単位時間の比率よりも増加しているとき、前記加重平均における今回の単位時間の比率の重みづけを大きくする、または、今回の単位時間の差分が直前の単位時間の差分よりも減少しているとき、前記加重平均における今回の単位時間の差分の重みづけを大きくすることを特徴とする請求項４に記載の電気光学装置。
【請求項６】
前記変換係数算出手段は、前記Ｒ，Ｇ，Ｂ色毎の変換係数を最上位ビットのみ１の二進数として算出し、
前記映像信号変換部は、前記単位時間の映像信号のＲ，Ｇ，Ｂ色毎の輝度値を前記Ｒ，Ｇ，Ｂ色毎の変換係数の０の桁数だけビットシフトすることによって増加させて前記カラー表示素子駆動回路に供給するとともに、前記Ｒ，Ｇ，Ｂ色毎の変換係数に基づいて前記Ｒ，Ｇ，Ｂ色毎の光源の光量を減少させるよう前記光源駆動回路を制御する
ことを特徴とする請求項２乃至５のいずれかに記載の電気光学装置。
【請求項７】
前記カラー表示素子駆動回路は、映像信号のＲ，Ｇ，Ｂ色毎の輝度値に応じた時間比率で前記カラー表示素子を駆動することによって映像信号を可視化し、
前記光源駆動回路は、前記Ｒ，Ｇ，Ｂ色毎の光源に供給する電流値を制御することによって該光源の光量を制御する
ことを特徴とする請求項１乃至６のいずれかに記載の電気光学装置。
【請求項８】
前記カラー表示素子駆動回路は、映像信号のＲ，Ｇ，Ｂ色毎の輝度値に応じた透過率になるように前記カラー表示素子を駆動することによって映像信号を可視化し、
前記光源駆動回路は、前記Ｒ，Ｇ，Ｂ色毎の光源に電流を供給する時間比率を制御することによって該光源の光量を制御する
ことを特徴とする請求項１乃至６のいずれかに記載の電気光学装置。
【請求項９】
前記Ｒ，Ｇ，Ｂ色毎の光源に供給する電流値と光量との関係を示すＲ，Ｇ，Ｂ色毎のテーブルを記憶するテーブル記憶部を備え、
前記カラー表示素子駆動回路は、映像信号のＲ，Ｇ，Ｂ色毎の輝度値に応じた時間比率で前記カラー表示素子を駆動することによって映像信号を可視化し、
前記光源駆動回路は、前記Ｒ，Ｇ，Ｂ色毎の光源に供給する電流値を制御することによって該光源の光量を制御し、
前記映像信号変換部は、前記単位時間の映像信号のＲ，Ｇ，Ｂ色毎の輝度値を前記Ｒ，Ｇ，Ｂ色毎の変換係数に基づいて増加させて前記カラー表示素子駆動回路に供給するとともに、前記Ｒ，Ｇ，Ｂ色毎の変換係数に基づいて前記Ｒ，Ｇ，Ｂ色毎の光源の光量を決定し、この光量で前記テーブル記憶部に記憶された前記Ｒ，Ｇ，Ｂ色毎のテーブルを検索して電流値を決定し、この電流値を前記光源駆動回路に指示する
ことを特徴とする請求項２乃至６のいずれかに記載の電気光学装置。
【請求項１０】
前記Ｒ，Ｇ，Ｂ色毎の光源の近傍に設けられたＲ，Ｇ，Ｂ色毎の光量センサと、
前記Ｒ，Ｇ，Ｂ色毎の光源に供給する電流を最小値から最大値まで変化させるよう前記光源駆動回路に指示して、各電流値における前記Ｒ，Ｇ，Ｂ色毎の光源の光量を前記Ｒ，Ｇ，Ｂ色毎の光量センサを用いて測定し、この測定結果に基づいて前記Ｒ，Ｇ，Ｂ色毎のテーブルを作成して前記テーブル記憶部に記憶するテーブル作成手段と
を備えることを特徴とする請求項９に記載の電気光学装置。
【請求項１１】
前記Ｒ，Ｇ，Ｂ色毎の光源の近傍に設けられたＲ，Ｇ，Ｂ色毎の光量センサと、
前記Ｒ，Ｇ，Ｂ色毎の光源に供給する電流を最小値から最大値まで変化させるよう前記光源駆動回路に指示して、各電流値における前記Ｒ，Ｇ，Ｂ色毎の光源の光量を前記Ｒ，Ｇ，Ｂ色毎の光量センサを用いて測定し、この測定結果に基づいて前記Ｒ，Ｇ，Ｂ色毎のテーブルを作成して前記テーブル記憶部に記憶するテーブル作成手段と
を備え、
前記映像信号変換部は、前記単位時間の映像信号のＲ，Ｇ，Ｂ色毎の輝度値を前記Ｒ，Ｇ，Ｂ色毎の変換係数に基づいて変換するとともに前記Ｒ，Ｇ，Ｂ色毎のテーブルを参照してこの輝度値を修正して前記カラー表示素子駆動回路に供給し、また、前記Ｒ，Ｇ，Ｂ色毎の変換係数に基づいて前記Ｒ，Ｇ，Ｂ色毎の光源に供給する電流値を決定し、この電流値を前記光源駆動回路に指示する
ことを特徴とする請求項９に記載の電気光学装置。
【請求項１２】
前記テーブル作成手段は、装置の電源オン時に前記Ｒ，Ｇ，Ｂ色毎のテーブルを作成することを特徴とする請求項１０または請求項１１に記載の電気光学装置。
【発明の詳細な説明】
【技術分野】
【０００１】
本発明は、電気光学装置の画質を向上させる技術に関する。
【背景技術】
【０００２】
近年普及している液晶パネル等の非発光型の表示装置においては、バックライトの光源として、ＥＬ（Electro Luminescence）ランプ、陰極蛍光ランプ（ＣＦＬ：Cathode Fluorescent Lamp）などが用いられている。また、近年では、光源としてＬＥＤ（Light Emitting Diode：発光ダイオード）を用いたものもある。例えば、特許文献１には、表示領域を複数の領域に分割し、領域毎の画像信号に基づいてバックライト（ＬＥＤ）の領域毎の照明光の放射動作を制御すると共に画像信号を補正する技術が開示されている。この技術によれば、コントラスト比が高くムラの少ない画像が得られるとともにバックライトの消費電力を削減することが可能となっている。
【特許文献１】特開２００５−２５８４０３号公報
【発明の開示】
【発明が解決しようとする課題】
【０００３】
しかしながら、特許文献１に記載の技術においては、背照を白色と考えて消費電力の低減を図っているために、カラー画像については消費電力の低減化が充分でないという問題があった。例えば、赤のみからなる画像の場合は、赤色以外の背照はなくてもよい理由であるが、引用文献１においては白色の背照だけを制御しているため、本来はなくてもよい色合いの背照も行ってしまう。
本願は上述した事情に鑑みてなされたもので、カラー画像に適した背照制御を行うことにより、高い消費電力効果を得ることができる技術を提供することを目的とする。
【課題を解決するための手段】
【０００４】
本発明の好適な態様である電気光学装置は、映像信号を可視化する光透過型のカラー表示素子と、前記カラー表示素子を駆動するカラー表示素子駆動回路と、前記カラー表示素子の背面から光を照射するＲ，Ｇ，Ｂ色の光源と、前記Ｒ，Ｇ，Ｂ色毎の光源を点灯させる光源駆動回路と、単位時間の映像信号のＲ，Ｇ，Ｂ色毎に輝度値のピーク値を検出するピーク検出手段と、前記ピーク検出手段によって検出されたＲ，Ｇ，Ｂ色毎のピーク値に基づいて前記単位時間の映像信号のＲ，Ｇ，Ｂ色毎の輝度値を増加させて前記カラー表示素子駆動回路に供給するとともに、前記Ｒ，Ｇ，Ｂ色毎のピーク値に基づいて前記Ｒ，Ｇ，Ｂ色毎の光源の光量を減少させるよう前記光源駆動回路を制御する映像信号変換部とを備えることを特徴とする。
この態様において、前記ピーク検出手段によって検出されたＲ，Ｇ，Ｂ色毎のピーク値の輝度上限値に対する比率または差分に基づく変換係数をＲ，Ｇ，Ｂ色毎に算出する変換係数算出手段を備え、前記映像信号変換部は、前記単位時間の映像信号のＲ，Ｇ，Ｂ色毎の輝度値を前記Ｒ，Ｇ，Ｂ色毎の変換係数に基づいて増加させて前記カラー表示素子駆動回路に供給するとともに、前記Ｒ，Ｇ，Ｂ色毎の変換係数に基づいて前記Ｒ，Ｇ，Ｂ色毎の光源の光量を減少させるよう前記光源駆動回路を制御するようにしてもよい。
また、前記映像信号変換部は、前記変換係数算出手段によって算出されたＲ，Ｇ，Ｂ色毎の変換係数が所定の閾値未満であった場合には前記閾値を変換係数として設定し、前記単位時間の映像信号のＲ，Ｇ，Ｂ色毎の輝度値を前記Ｒ，Ｇ，Ｂ色毎の変換係数に基づいて増加させて前記カラー表示素子駆動回路に供給するとともに、前記Ｒ，Ｇ，Ｂ色毎の変換係数に基づいて前記Ｒ，Ｇ，Ｂ色毎の光源の光量を減少させるよう前記光源駆動回路を制御するようにしてもよい。
【０００５】
また、上述した態様において、前記変換係数算出手段は、今回の単位時間および過去の１または複数の単位時間の処理時に算出した比率または差分に基づいて前記Ｒ，Ｇ，Ｂ色毎の変換係数を算出するようにしてもよい。
また、前記変換係数算出手段は、今回の単位時間および過去の１または複数の単位時間の処理時に算出した比率または差分を加重平均することによってＲ，Ｇ，Ｂ色毎の変換係数を算出し、今回の単位時間の比率が直前の単位時間の比率よりも増加しているとき、前記加重平均における今回の単位時間の比率の重みづけを大きくする、または、今回の単位時間の差分が直前の単位時間の差分よりも減少しているとき、前記加重平均における今回の単位時間の差分の重みづけを大きくするようにしてもよい。
また、この態様において、前記変換係数算出手段は、前記Ｒ，Ｇ，Ｂ色毎の変換係数を最上位ビットのみ１の二進数として算出し、前記映像信号変換部は、前記単位時間の映像信号のＲ，Ｇ，Ｂ色毎の輝度値を前記Ｒ，Ｇ，Ｂ色毎の変換係数の０の桁数だけビットシフトすることによって増加させて前記カラー表示素子駆動回路に供給するとともに、前記Ｒ，Ｇ，Ｂ色毎の変換係数に基づいて前記Ｒ，Ｇ，Ｂ色毎の光源の光量を減少させるよう前記光源駆動回路を制御するようにしてもよい。
また、前記カラー表示素子駆動回路は、映像信号のＲ，Ｇ，Ｂ色毎の輝度値に応じた時間比率で前記カラー表示素子を駆動することによって映像信号を可視化し、前記光源駆動回路は、前記Ｒ，Ｇ，Ｂ色毎の光源に供給する電流値を制御することによって該光源の光量を制御するようにしてもよい。
また、この態様において、前記カラー表示素子駆動回路は、映像信号のＲ，Ｇ，Ｂ色毎の輝度値に応じた透過率になるように前記カラー表示素子を駆動することによって映像信号を可視化し、前記光源駆動回路は、前記Ｒ，Ｇ，Ｂ色毎の光源に電流を供給する時間比率を制御することによって該光源の光量を制御するようにしてもよい。
【０００６】
また、上述した態様において、前記Ｒ，Ｇ，Ｂ色毎の光源に供給する電流値と光量との関係を示すＲ，Ｇ，Ｂ色毎のテーブルを記憶するテーブル記憶部を備え、前記カラー表示素子駆動回路は、映像信号のＲ，Ｇ，Ｂ色毎の輝度値に応じた時間比率で前記カラー表示素子を駆動することによって映像信号を可視化し、前記光源駆動回路は、前記Ｒ，Ｇ，Ｂ色毎の光源に供給する電流値を制御することによって該光源の光量を制御し、前記映像信号変換部は、前記単位時間の映像信号のＲ，Ｇ，Ｂ色毎の輝度値を前記Ｒ，Ｇ，Ｂ色毎の変換係数に基づいて増加させて前記カラー表示素子駆動回路に供給するとともに、前記Ｒ，Ｇ，Ｂ色毎の変換係数に基づいて前記Ｒ，Ｇ，Ｂ色毎の光源の光量を決定し、この光量で前記テーブル記憶部に記憶された前記Ｒ，Ｇ，Ｂ色毎のテーブルを検索して電流値を決定し、この電流値を前記光源駆動回路に指示するようにしてもよい。
また、この態様において、前記Ｒ，Ｇ，Ｂ色毎の光源の近傍に設けられたＲ，Ｇ，Ｂ色毎の光量センサと、前記Ｒ，Ｇ，Ｂ色毎の光源に供給する電流を最小値から最大値まで変化させるよう前記光源駆動回路に指示して、各電流値における前記Ｒ，Ｇ，Ｂ色毎の光源の光量を前記Ｒ，Ｇ，Ｂ色毎の光量センサを用いて測定し、この測定結果に基づいて前記Ｒ，Ｇ，Ｂ色毎のテーブルを作成して前記テーブル記憶部に記憶するテーブル作成手段とを備えるようにしてもよい。
また、この態様において、前記Ｒ，Ｇ，Ｂ色毎の光源の近傍に設けられたＲ，Ｇ，Ｂ色毎の光量センサと、前記Ｒ，Ｇ，Ｂ色毎の光源に供給する電流を最小値から最大値まで変化させるよう前記光源駆動回路に指示して、各電流値における前記Ｒ，Ｇ，Ｂ色毎の光源の光量を前記Ｒ，Ｇ，Ｂ色毎の光量センサを用いて測定し、この測定結果に基づいて前記Ｒ，Ｇ，Ｂ色毎のテーブルを作成して前記テーブル記憶部に記憶するテーブル作成手段とを備え、前記映像信号変換部は、前記単位時間の映像信号のＲ，Ｇ，Ｂ色毎の輝度値を前記Ｒ，Ｇ，Ｂ色毎の変換係数に基づいて変換するとともに前記Ｒ，Ｇ，Ｂ色毎のテーブルを参照してこの輝度値を修正して前記カラー表示素子駆動回路に供給し、また、前記Ｒ，Ｇ，Ｂ色毎の変換係数に基づいて前記Ｒ，Ｇ，Ｂ色毎の光源に供給する電流値を決定し、この電流値を前記光源駆動回路に指示するようにしてもよい。
また、前記テーブル作成手段は、装置の電源オン時に前記Ｒ，Ｇ，Ｂ色毎のテーブルを作成することが好ましい。
【発明の効果】
【０００７】
本発明によれば、カラー画像に適した背照制御を行うので、高い消費電力効果を得ることができる。
【発明を実施するための最良の形態】
【０００８】
＜Ａ：構成＞
図１は、本実施形態である電気光学装置１００の構成を示す図である。図において、５は、映像信号を可視化する透過型の液晶パネルで構成された表示デバイスである。この表示デバイス５は、２枚のガラス基板の間に走査線、データ線、カラーフィルタ、保護膜、配向膜などを積層して構成されている。この表示デバイスは、列方向（Ｙ方向）に延在する複数のデータ線（図示略）、行方向（Ｘ方向）に延在する複数の走査線（図示略）とを有しており、データ線と走査線とが交差する各地点には、画素１１６が形成されている。画素１１６は、２端子型スイッチング素子であるＴＦＤ（Thin Film Diode）と、このＴＦＤに直列接続された液晶容量とを有し、液晶容量は、帯状の透明電極である走査線と画素電極との間に電気光学物質である液晶が挟まれた構成となっている。
２は、表示デバイス５を駆動する表示デバイスドライバであり、供給される画像信号に応じて、走査線を一本ずつ選択して、選択した走査線には選択電圧を、他の走査線には非選択電圧をそれぞれ供給するとともに、選択された走査線に対応する１行分の画素１１６に対し、階調データが表す階調データに応じたデータ信号を、データ線を介して供給する。
【０００９】
表示デバイス５のカラーフィルタは、赤（Ｒ）、緑（Ｇ）、青（Ｂ）のそれぞれに着色された光透過性を有した着色層を備えている。すなわち、赤に着色された着色層は赤に対応する波長の色を選択的に透過する。同様に、緑の着色層は緑に対応する波長の光を選択的に透過し、青の着色層は青に対応する波長の光を選択的に透過する。
【００１０】
４は、表示デバイス５の背面に設けられ、表示デバイス５の背面から光を照射するバックライト装置である。このバックライト装置４には、高速の応答特性を有し、赤（Ｒ）の光を発光するＬＥＤ２２Ｒと、緑（Ｇ）の光を発光するＬＥＤ２２Ｇと、青（Ｂ）の光を発光するＬＥＤ２２Ｂとが、それぞれ複数設けられている。なお、以下の説明においては、ＬＥＤ２２Ｒ、ＬＥＤ２２Ｇ、ＬＥＤ２２Ｂを各々区別する必要がない場合には、これらを「ＬＥＤ２２」と称する。バックライト装置４のＬＥＤ２２から出射されるＲ，Ｇ，Ｂの各光は、拡散シート７により拡散されて表示デバイス５に照射される。表示デバイス５は、拡散シート７を介して照射されるバックライト装置４からの光を、画像データに基づいて赤（Ｒ），緑（Ｇ），青（Ｂ）の３色の着色層を透過させて、種々の色で構成された映像を表示させる。
【００１１】
３Ｒ，３Ｇ，３Ｂは、ＬＥＤ２２Ｒ，２２Ｇ，２２Ｂをそれぞれ駆動する光源ドライバである。光源ドライバ３Ｒは、ＬＥＤ２２Ｒに供給する電流値を制御することによってＬＥＤ２２Ｒの光量を制御する。同様に、光源ドライバ３ＧはＬＥＤ２２Ｇの光量を制御し、光源ドライバ３ＢはＬＥＤ２２Ｂの光量を制御する。なお、光源ドライバ３Ｒ，３Ｇ，３Ｂは、制御するＬＥＤ２２の種類がそれぞれ異なるもののその構成は同じである。そのため、以下の説明においては、光源ドライバ３Ｒ，３Ｇ，３Ｂを各々区別する必要がない場合には、これらを「光源ドライバ３」と称する。１Ｒ，１Ｇ，１Ｂは、ＲＧＢデコーダ６から入力されるＲ，Ｇ，Ｂ各色の映像信号を処理し、変換された映像信号を表示デバイスドライバ２に入力するとともに、光源制御信号を光源ドライバ３に入力する映像信号処理部である。この映像信号処理部１Ｒ，１Ｇ，１Ｂは、処理対象となる映像信号が色毎に異なるものの、その構成は同じであり、そのため、以下の説明においては、映像信号処理部１Ｒ，１Ｇ，１Ｂを各々区別する必要がない場合には、これらを「映像信号処理部１」と称する。
【００１２】
光源ドライバ３は、映像信号処理部１から供給される光源制御信号に応じて、ＬＥＤ２２Ｒ、ＬＥＤ２２Ｇ、ＬＥＤ２２Ｂを駆動する。このとき、ＬＥＤ２２Ｒ、ＬＥＤ２２Ｇ、ＬＥＤ２２Ｂの光は拡散シート７により拡散されて表示デバイス５に照射される。ＬＥＤ２２Ｒの１色のみのＬＥＤが点灯された場合は、赤色の光がバックライト装置４から出射され、表示デバイス５には赤色光がバックライトとして照射される。同様に、ＬＥＤ２２Ｇのみが点灯された場合は、緑色の光が表示デバイス５に照射される。
このように、光源ドライバ３は、映像信号処理部１から供給される光源制御信号に応じて、点灯させるＬＥＤ２２の種類とその数とを制御する。これにより、表示デバイス５には、白色光に限らず、点灯されるＬＥＤ２２の種類とその数とに応じた様々な色の光がバックライトとして照射される。
【００１３】
次に、映像信号処理部１の構成について、図２を参照しつつ以下に説明する。なお、映像信号処理部１ＲはＲ色の映像信号を処理し、映像信号処理部１ＧはＧ色の映像信号を処理し、映像信号１ＢはＢ色の映像信号を処理するが、これらの映像信号処理部１Ｒ，１Ｇ，１Ｂの構成は同様である。
図２は、映像信号処理部１の構成を示すブロック図である。映像信号処理部１は、入力された映像信号を１フレーム分バッファする入力バッファ１１、１フレーム分の映像データの各画素のなかから、最高の輝度値を検出するピーク検出部１２、ピーク検出部１２が検出したピークに基づいて映像信号を明るく変換する輝値変換係数ｂおよび光源の光量を小さく変換する光量制御係数ａを算出する係数算出部１３、輝度値変換係数ｂに基づいて入力バッファ１１に記憶している映像信号の輝度値を変換する輝度値変換部１４、輝度値変換部１４で変換された映像信号をバッファする出力バッファ１７、光量制御係数ａに基づいて光量制御データを決定する光量決定部１５、光量決定部１５が用いる光量制御データテーブル１６、光量決定部１５が決定した光量制御データをバッファする光量制御データバッファ１８とを有している。
【００１４】
入力バッファ１１は、１フレーム（単位時間）分の映像信号（デジタル映像信号）をバッファする。ピーク検出部１２は、入力バッファ１１にバッファされた単位時間の映像信号の各画素（輝度値）をスキャンして、そのフレームで最大の輝度値を検出し、検出した輝度値をピーク値Ｐとして係数算出部１３に出力する。
【００１５】
係数算出部１３は、ピーク検出部１２によって検出されたピーク値Ｐの輝度上限値に対する比率に基づく変換係数を算出する。具体的には、ピーク値Ｐに基づいてバッファされている１フレーム分の画素データの輝度値（画素値）を変換するための輝度値変換係数ｂおよびＬＥＤ２２の光量を制御するための光量制御係数ａを算出する。この光量制御係数ａは、フルパワー時の光量に対する光量比率を表すものである。なお、この算出方法の詳細については後述する。
【００１６】
係数算出部１３が算出した輝度値変換係数ｂは輝度値変換部１４に入力される。輝度値変換部１４は、入力バッファ１１から１フレーム分の映像信号を取り込み、各画素データに輝度値変換係数ｂを乗算して各画素の輝度値を変換する。変換された映像信号は、出力バッファ１７に書き込まれる。出力バッファ１７に書き込まれた映像信号は、次のフレームの表示タイミングに表示デバイスドライバ２によって読み出される。表示デバイスドライバ２は、読み出した映像信号のＲ，Ｇ，Ｂ毎の輝度値に応じた時間比率で表示デバイス５を駆動することによって映像信号を可視化する。すなわち、輝度に対応する時間幅だけ１００パーセントの透過率で表示デバイス５を駆動することによって輝度制御を行う。
【００１７】
一方、係数算出部１３が算出した光量制御係数ａは、光量決定部１５に入力される。この光量決定部１５は、図３に示す光量制御データテーブル１６を参照して、入力された光量制御係数ａを光量制御データ（ＬＥＤ２２に供給する電流値を表すデータ）に変換する。
【００１８】
光量制御データテーブル１６は、バックライト装置４の各ＬＥＤ２２に供給する電流値とＬＥＤ２２の光量（光出力）との関係を記憶したテーブルである。
なお、図３は、２種類の光量制御データテーブルを示している。同図上段は、光量と電流値との関係を表したものであり、フルパワー時の光量に対する光量比率（光量制御係数ａ）からフルパワーの電流値に対する電流比率を割り出す光量―電流の変換テーブルである。同図下段は、光量比率に対応する電流比率の（正比例関係からの）誤差を表す誤差テーブルであり、光量比率にこの誤差を乗算することによって電流比率を算出することができるものである。
【００１９】
この光量制御データテーブル１６は、バックライト装置４のＲ，Ｇ，Ｂ色毎のＬＥＤ２２の近傍に光量検出用のセンサであるフォトダイオード２５（図４参照）を設け、バックライト装置４のＬＥＤ２２に対する供給電流を連続的に変化させて実測して作成したものである。
【００２０】
このテストモードの動作は、ＬＥＤ２２に供給する電流を最小値から最大値までリニアに変化させるような制御を行い、各電流値でどれだけの光量が出力されているかをフォトダイオード２５で実測して、この測定結果をテーブル化する動作である。この場合、映像信号として黒を入力しておけば、表示デバイス５に映像が表示されることはない。
【００２１】
この光量制御データテーブル１６の作成は、いつ行ってもよいが、この装置の電源投入（オン）時や、映像信号の入力が停止したインターバルの間に行うのが適当である。
なお、ＬＥＤの特性は比較的均一であるため、ＬＥＤメーカから提供される平均的な特性データをそのまま使用してもよい。
【００２２】
次に、光源ドライバ３の構成について、図４を参照しつつ以下に説明する。
図４は、光源ドライバ３の構成を示す図である。光源ドライバ３では、Ｄ／Ａコンバータ２０が、映像信号処理部１の光量決定部１５から入力された光量制御データをアナログの電流制御電圧Ｖｉに変換し、定電流回路２１に入力する。定電流回路２１は、この電流制御電圧Ｖｉで決定される電流Ｉｆを、バックライト装置４に実装されているＬＥＤ２２に供給することにより、所定の光量でＬＥＤ２２を発光させる。なお、定電流回路は、コンパレータ２１０、電流制御トランジスタ２１１および基準抵抗２１２（抵抗値Ｒｉ）からなっており、供給電流ＩｆはＶｉ／Ｒｉで決定される。
【００２３】
上述したように、バックライト装置４には、発光量検出用のフォトダイオード２５が設けられており、このフォトダイオード２５の抵抗値の変化によりＬＥＤ２２の発光量を検出する。すなわち、フォトダイオード２５は、一方の端子に検出用電圧Ｖｄｄが印加され、他方の端子が抵抗値Ｒｄを介して接地されている。フォトダイオード２５および抵抗器Ｒｄには、ＬＥＤ２２の発光量に応じた電流Ｉｐが流れ、抵抗器Ｒｄの両端には、検出電圧Ｖｐ（＝Ｉｐ×Ｒｄ）が生じる。
【００２４】
光量制御データテーブルを実測で作成するテストモード時には、この電圧ＶｐをＡ／Ｄコンバータ２７がデジタルデータに変換し、映像信号処理部１に入力する。映像信号処理部１は、Ｄ／Ａコンバータ２０−定電流回路２１を介してＬＥＤ２２に供給した電流値とＡ／Ｄコンバータ２７から入力された光量検出データに基づいて図３に示す内容の光量制御データテーブルを作成する。
【００２５】
＜Ｂ：動作＞
上記構成の電気光学装置１００において、映像信号の輝度値（ピーク値）に基づいて変換係数を決定し、かつ映像信号の輝度値の変換およびＬＥＤ２２の光量制御を行う動作について、図を参照しつつ以下に説明する。
＜Ｂ−１：動作例１＞
図５は、本実施形態に係る映像信号処理部１が実行する処理の流れを示すフローチャートである。図において、映像信号処理部１に１フレームの映像信号が入力されると、まず、映像信号処理部１のピーク検出部１２は、入力された１フレームの全画素のなかで最も輝度の高い画素の輝度値をピーク値Ｐとして検出し、検出したピーク値Ｐを係数算出部１３に入力する（ステップＳ１）。この処理は、入力バッファ１１に保存された１フレーム分のデータをスキャンして輝度のピークを検出してもよく、または、入力される映像信号をリアルタイムにチェックしてピーク値をホールドし、１フレーム分の映像信号が入力されたときにホールドされているピーク値を用いるようにしてもよい。
【００２６】
係数算出部１３は、ピーク値Ｐを輝度限度値（フルカラー（Ｒ，Ｇ，Ｂ各成分８ビット量子化）の場合２５５）で除算して光量制御係数ａを算出し、光量決定部１５に供給する（ステップＳ４）。
【００２７】
続けて、係数算出部１３は、算出されたＲ，Ｇ，Ｂ色毎の光量制御係数ａが０．１（閾値）を超えているか否かを判断する（ステップＳ９）。０．１を超えている場合には（ステップＳ９；ＹＥＳ）、この光量制御係数ａをそのまま用いるとともに、このａの逆数（１／ａ）を輝度値変換係数ｂとする（ステップＳ１０）。一方、輝度変換係数ａが０．１（閾値）未満であった場合には（ステップＳ９；ＮＯ）、この閾値（０．１）を光量制御係数ａとして設定し、これに対応して輝度値変換係数ｂを１０（１／ａ）とする（ステップＳ１１）。
【００２８】
次に、光量決定部１５は、供給された光量制御係数ａで光量制御データテーブル１６を検索して、ＬＥＤ２２に供給すべき電流値（フルパワー時の電流に対する電流比率）を光量制御データとして読み出し（ステップＳ１２）、この光源制御データを光源ドライバ３に出力する（ステップＳ１３）。また、係数算出部１３は、算出した輝度値変換係数ｂを輝度値変換部１４に入力する（ステップＳ１４）。輝度値変換部１４は、輝度値変換係数ｂに基づいて映像信号の輝度値を変更する。表示デバイスドライバ２は、変更された映像信号に基づいて表示デバイス５を駆動し、これにより表示デバイス５に映像が映し出される。
【００２９】
ここで、種々の映像と、その映像に応じた映像信号の変換および光量の制御の一例について、図６を参照しつつ以下に説明する。
図６は、種々の映像と、その映像に応じた映像信号の変換および光量の制御の例を示した図である。この図では、７つの映像（フレーム１〜フレーム７）を例示している。
フレーム１〜７はそれぞれ以下のようである。
フレーム１：全面黒の映像
フレーム２：グレーの背景に赤（Ｒ）の帯が表示されている映像
フレーム３：グレーの背景に緑（Ｇ）の帯が表示されている映像
フレーム４：グレーの背景に青（Ｂ）の帯が表示されている映像
フレーム５：グレーの背景に黒の帯が表示されている映像
フレーム６：グレーの背景に白の帯が表示されている映像
フレーム７：全面白の映像
この図に示す各フレームにおいて、図５のフローチャートに示した処理は、映像信号処理部１Ｒ，１Ｇ，１Ｂによって各色成分（Ｒ，Ｇ，Ｂ）毎に行われる。各色成分において、入力された映像信号（入力信号）のピークが、輝度限度値（例えば２５５）になるように変換されて、表示信号として表示デバイスドライバ２に出力される。
【００３０】
例えば、フレーム２の映像信号においては、Ｒチャンネルは、輝度１００パーセントの部分（赤の帯の部分）があるため、ピーク値は１００パーセントである。したがって、映像信号を大きく変換する余地がないため、輝度値変換係数ｂ、光量制御係数ａは、１のままである。一方、図６に示すフレーム２の映像信号におけるＧチャンネルは、輝度４０パーセントのグレーの領域と、緑がまったく表示されない０パーセントの領域とがある。そこで、輝度値変換係数を２．５として、輝度を変換し、光量制御係数ａを０．４とする。これにより、フレーム２では緑色のバックライト光源であるＬＥＤ２２Ｇの光量を６０パーセント節約できる。また、このフレーム２では、青色のバックライト光源であるＬＥＤ２２Ｂの光量も、ＬＥＤ２２Ｇと同様に６０パーセント節約することができる。
このことは、他のフレームでも同様であり、トータルすれば、図６に示すフレーム１からフレーム７において４０パーセントの光量（電力）を節減することができる。
【００３１】
以上説明したように本実施形態においては、映像信号処理部１が、単位時間の映像信号のＲ，Ｇ，Ｂ色毎の輝度をＲ，Ｇ，Ｂ色毎の輝度値変換係数ｂに基づいて増加させて表示デバイスドライバ２に供給するとともに、Ｒ，Ｇ，Ｂ色毎の光量制御係数ａに基づいてＬＥＤ２２Ｒ，ＬＥＤ２２Ｇ，ＬＥＤ２２Ｂの光量を減少させるように光源ドライバ３を制御する。このように、Ｒ，Ｇ，Ｂ色毎にＬＥＤ２２の照度（光量）を調節するから、カラー画像に適した色の再現性を更に向上させることができるとともに、消費電力を削減することが可能となる。具体的には、映像が暗い場面では、映像を明るく変換し、これに合わせて光源を暗くすることで、暗い映像信号をそのまま再生した場合と同じ映像を表示できるようにし、光源を暗くした分だけ省電力を可能にしている。
【００３２】
また、本実施形態においては、輝度分布を検出することなく、各フレームの最大輝度を求めて簡単に輝度補正信号を生成することができる。また、ハードウェア上の限界輝度と最高輝度との関係から、そのフレーム全体の輝度補正値を求めることができる。さらに、本実施形態においては、フレームを一単位とするので、領域分布の手間が要らず、構成も簡単で計算も速い。
【００３３】
ところで、ＬＥＤ等の光源は、安定的に動作する最低限の電圧・電流が存在し、それ以下の電流・電圧では点灯が不安定になってしまう。これに対し本実施形態においては、ステップＳ９〜ステップＳ１１に示すように、光量制御係数ａが閾値（０．１）未満である場合には、光量制御係数ａを正常な動作が保障される最低の制御値０．１に書き換える。このように、不安定になるような電流・電圧を印加する領域までは変換を行わないように、変換係数に閾値を設定し、変換係数が閾値を超えた場合でも、閾値を限度として変換を行うようにしている。これにより、ＬＥＤ２２の光量を低下させる変換を行う場合でも、ＬＥＤ２２が安定して動作する範囲で変換することが可能になる。
【００３４】
＜Ｂ−２：動作例２＞
次に、映像信号処理部１の他の動作例について、図７に示すフローチャートを参照しつつ以下に説明する。
図７に示すフローチャートが、図５に示したフローチャートと異なる点は、ステップＳ２，ステップＳ３、ステップＳ２０〜ステップＳ２５の処理（図７中の鎖線で囲んだ処理）を行う点であり、他の処理は、図５に示したものと同様である。そのため、以下の説明においては、図５に示した処理と同様のものについては同じ符号を付与して適宜その説明を省略する。
【００３５】
図７において、映像信号処理部１の係数算出部１３は、ステップＳ１において入力されたピーク値Ｐが０の場合には（ステップＳ２；ＹＥＳ）、画面（この色成分）が暗転していると判断して暗転時処理（ステップＳ２０以下の処理）に進む。一方、ピーク値Ｐが０でない（０より大きい）場合は（ステップＳ２；ＮＯ）、係数算出部１３は、暗転中であることを示す暗転フラグＦｚをリセットし（ステップＳ３）、ステップＳ４以降の処理を実行する。
【００３６】
ステップＳ２でピーク値Ｐが０であると判定された場合には、係数算出部１３は、まず輝度値変換係数ｂを１とする（ステップＳ２０）。この輝度値変換係数ｂが１であると、輝度値変換部１４は、輝度値変換処理を行わず（スキップし）、入力バッファ１１から入力した映像信号をそのまま出力バッファ１７に転送する。
【００３７】
次に、係数算出部１３は、暗転フラグＦｚがセットされているか否かを判定する（ステップＳ２１）。このＦｚがセットされていることは、以前のフレームから暗転状態が継続していることを意味する。
Ｆｚがセットされていない場合（暗転が始まった場合）には（ステップＳ２１；ＮＯ）、光量制御係数ａを０．１にセットするとともに（ステップＳ２２）、フラグＦｚをセットして（ステップＳ２３）ステップＳ１２に進む。Ｆｚがすでにセットされている場合には（ステップＳ２１；ＹＥＳ）、ａが０であるか否かを判定し、ａが０である場合には（ステップＳ２４；ＮＯ）、徐々に光量を下げるためにａから０．２を減算する（ステップＳ２５）。既にａが０になっている場合には（ステップＳ２４；ＹＥＳ）、ステップＳ２５の処理をスキップする。この処理ののちステップＳ１２に進む。ａから０．０２を減算していくことにより、５０フレーム（約１．７秒）暗転状態が続くと光量が０になることになる。
【００３８】
この処理は、暗転状態が長い場合には、黒浮きを防止するためおよび電力を節約するために発光を抑制する処理である。このように本動作例においては、暗転状態では光量制御係数ａを閾値（０．１）に設定するが、暗転状態が継続すると徐々にこの値ａを閾値から小さくしてゆく。この小さくしてゆく傾斜は、約１秒でａ＝０（消灯）になる程度である。これにより、暗転状態の黒浮きを無くするとともに、更なる省電力化が可能になる。
【００３９】
＜Ｂ−３：動作例３＞
次に、映像信号処理部１の他の動作例について、図８に示すフローチャートを参照しつつ以下に説明する。
図８に示すフローチャートが、上述した図７に示したフローチャートと異なる点は、ステップＳ４の処理に代えて、ステップＳ４１の処理を行う点と、ステップＳ５〜ステップＳ８の処理（図８中の鎖線で囲んだ処理）を行う点である。その他の処理については図７に示した各処理と同様であり、同じ符号を付与してその説明を省略する。
【００４０】
図８において、ステップＳ３の処理を終えると、係数算出部１３は、ピーク値Ｐを輝度限度値（フルカラー（Ｒ，Ｇ，Ｂ各成分８ビット量子化）の場合２５５）で除算して輝度比率値Ａを算出する（ステップＳ４１）。
【００４１】
次に、係数算出部１３は、今回の単位時間および過去の１または複数の単位時間の処理時に算出した比率を加重平均することによって、Ｒ，Ｇ，Ｂ各色毎の光量制御係数ａを算出する。具体的には、まず、今回の輝度比率値Ａが前回（前フレームの同色）の輝度比率値Ａold以上であるか否かを判定する（ステップＳ５）。今回の輝度比率値Ａが前回の輝度比率値Ａold以上の場合には、今回の輝度比率値Ａに対する重み付け係数αを０．８に設定し、前回の輝度比率値Ａoldに対する重み付け係数βを０．２に設定する（ステップＳ７）。一方、今回の輝度比率値Ａが前回の輝度比率値Ａold未満であった場合には、今回の輝度比率値Ａに対する重み付け係数α、前回の輝度比率値Ａoldに対する重み付け係数βをともに０．５に設定する（ステップＳ６）。そして、α×Ａ＋β×Ａoldの演算で光量制御係数ａを算出する（ステップＳ８）。
【００４２】
光源の光量および映像信号の変換量をフレーム毎に極端に変化させた場合、例えば量子化誤差やリニアリティのズレ等により映像にチラつきが生じるおそれがある。そこで、本動作例においては、光量制御係数ａや輝度値変換係数ｂの極端な変化を防止するために、過去の輝度比率または過去の光量制御係数と平均化して今回の光量制御係数ａ、輝度値変換係数ｂを算出する。
【００４３】
この動作例においては、過去の値と平均化して変換係数を算出するから、映像信号の輝度値および光源の光量が単位時間毎に大きく変化した場合であっても、量子誤差やリニアリティの誤差等による画面のチラつきを防止することができる。
【００４４】
さらに、ステップＳ５〜ステップＳ８の処理においては、今回の単位時間の比率が直前の単位時間の比率よりも増加しているときは加重平均における今回の単位時間の比率の重みづけを大きくし、一方、今回の単位時間の差分が直前の単位時間の差分よりも減少しているときは加重平均における今回の単位時間の差分の重みづけを大きくする。具体的には、映像が明るくなっているとき（今回の輝度比率値Ａ（または今回のピーク値Ｐ）が前回の輝度比率値Ａold（または前回のピーク値Ｐold）以上の場合）には、今回の値の重みづけ係数αを大きくし、逆に、映像が暗くなっているとき（今回の輝度比率値Ａ（または今回のピーク値Ｐ）が前回の輝度比率値Ａold（または前回のピーク値Ｐold）未満の場合）には、今回の値の重み付け係数αを前回の値の重み付け係数βと同じ程度にしている。
【００４５】
これは、画面が明るく変化する場合は、フェードアウト後のシーンの転換など場面が大きく変化する場合が多いこと、また、暗い場面から明るい場面に急に変化させて注意を惹きつける映像効果が存在することなどに鑑み、映像が明るく変化した場合には今回の値の重み付けを大きくして変化によく追従するようにしたものである。
【００４６】
また、この動作例においては、画面が明るくなったときに、今回の単位時間の値に対する重み付けを大きくするので、暗いシーンから明るいシーンに変化させる映像手法（場面の転換やインパクトのある映像効果）等の再現性をよくすることができる。
【００４７】
＜Ｂ−４：動作例４＞
次に、映像信号処理部１の他の動作例について、図９に示すフローチャートを参照しつつ以下に説明する。図９に示すフローチャートが、図８に示したフローチャートと異なる点は、全ての係数を２進数で処理する点である。そのため、以下の説明においては、図８と同様の処理については同じ符号を付与して適宜その説明を省略する。
【００４８】
図９に示すフローチャートにおいては、図８のステップＳ６、ステップＳ７、ステップＳ２２、ステップＳ２５のそれぞれの処理に代えて、ステップＳ３６、ステップＳ３７、ステップＳ５２、ステップＳ５５のそれぞれの処理を行う。これらの各処理は、図５に示す各処理を２進数の演算で実行したものである。
また、ステップＳ９〜ステップＳ１１の処理に代えて、ステップＳ３９の処理を行う。ステップＳ３９においては、算出された光量制御係数ａの桁数に基づいて、実際の処理に用いる光量制御係数ａおよび輝度値変換係数ｂを決定する。この決定は、算出された光量制御係数ａ以上で最も近い「少数最下位桁のみ１の少数（例えば“０．０００１”等）」とする。これにより、輝度値変換部１４における各画素の輝度値の変換をビットシフトのみで行うことが可能になる。そして、その逆数（例えば“１０００”等）を輝度値変換係数ｂとする。また、輝度値変換部１４は、単位時間の映像信号のＲ，Ｇ，Ｂ毎の輝度値を、Ｒ，Ｇ，Ｂ毎の輝度値変換係数の０の桁数だけビットシフトすることによって増加させて表示デバイスドライバ２に供給する。また、算出された光量制御係数ａがいくら小さくても“０．０００１”を限度としてこれ以下の値に設定しない。これにより、閾値制限処理が行われる。
【００４９】
このように、２進数のデータで変換係数の算出処理を行うことにより、処理が容易となり、処理部の負担を軽くすることができる。特に、映像信号処理部１の係数算出部１３は、Ｒ，Ｇ，Ｂ毎の輝度値変換係数ｂを最上位ビットのみ１で他のビットが０の２進数として算出するから、輝度値変換部１４の動作がビットシフトのみでよくなり演算量を極端に軽減することができる。
【００５０】
＜Ｃ：変形例＞
以上、本発明の実施形態について説明したが、本発明は上述した実施形態に限定されることなく、他の様々な形態で実施可能である。以下にその一例を示す。
（１）上述した実施形態においては、輝度比率の閾値を設けて、輝度比率値Ａが閾値未満である場合には閾値を光量制御係数ａとして決定するようにしたが（図５のステップＳ９，ステップＳ１０参照）、これに代えて、閾値を設けずに輝度比率をそのまま光量制御係数ａとして決定するようにしてもよい。
【００５１】
（２）上述した実施形態においては、映像の１フレーム毎に処理を行うようにしたが、処理単位はこれに限らず、例えば１水平走査期間等であってもよい。
【００５２】
（３）上述した実施形態の動作例３においては、今回の輝度比率値Ａと過去の輝度比率値Ａoldとに基づいて光量制御係数ａを決定するようにした。これに代えて、今回の光量制御係数ａと前回の光量制御係数ａoldとに基づいて光量制御係数ａを決定するようにしてもよい。この場合は、ａ＝αＡ＋βａoldで今回の光量制御係数ａを算出するようにすればよい（α、βは重み付け係数）。
【００５３】
（４）上述した実施形態においては、Ｒ，Ｇ，Ｂ各色毎に映像信号処理部１Ｒ，１Ｇ，１Ｂをそれぞれ備える構成とした。これに代えて、１つの映像信号処理部でＲ，Ｇ，Ｂ各色の映像信号を処理するようにしてもよい。この場合は、映像信号処理部に、入力バッファ、出力バッファ、光量制御データバッファをＲ，Ｇ，Ｂ各色毎に並列に設ける構成とし、Ｒ，Ｇ，Ｂ各色の映像信号を１つの映像信号処理部で処理するようにすればよい。
【００５４】
（５）上述した実施形態においては、光源ドライバ３は、バックライト装置４のＬＥＤ２２に供給する電流値を制御することによって各ＬＥＤの光量を制御する構成となっていた。これに代えて、光量制御データに基づいてパルス幅で光源を点灯させるＰＷＭ制御で光源を点灯させるようにしてもよい。すなわち、ＬＥＤに電流を供給する時間比率を制御することによってＬＥＤの光量を制御するようにしてもよい。なお、この場合には、Ｄ／Ａコンバータ２０から出力された電圧ＶｉをＰＷＭ信号生成回路（電圧Ｖｉとのこぎり波とをコンパレータに入力し、のこぎり波がＶｉｗを超えない期間パルスを生成する回路）に入力し、このＰＷＭ信号生成回路が出力したＰＷＭ信号でＬＥＤをオン／オフ制御すればよい。
【００５５】
ＰＷＭ制御の場合には、パルス幅と光量は完全にリニアである（正比例している）ため、フォトダイオード２５を用いたテーブルの作成やリニアリティの補正は不要とすることもできる。
【００５６】
また、上述した実施形態においては、表示デバイスドライバ２は、映像信号のＲ，Ｇ，Ｂ色毎の輝度値に応じた時間比率で表示デバイス５を駆動する時分割（ＰＷＭ）制御を行うようになっていたが、これに代えて、映像信号のＲ，Ｇ，Ｂ色毎の輝度値に応じた透過率になるように表示デバイスを駆動するスタティック制御を行うようにしてもよい。
なお、表示デバイス５が時分割制御の場合にはＬＥＤ２２をスタティック制御とし、表示デバイス５がスタティック制御の場合にはＬＥＤ２２を時分割制御とする。
【００５７】
（６）上述した実施形態においては、図３の上段に示した光量−電流の変換テーブル（ＬＥＤ２２に供給する電流値に対するＬＥＤ２２の光量（光出力）の関係を記憶したテーブル）を用いて電流値を求めるようにした。これに代えて、図３の下段に示した誤差テーブル（電流値と光量とが正比例した場合の直線からの誤差を示すテーブル）を記憶して補正するようにしてもよい。この場合は、映像信号処理部は、Ｒ，Ｇ，Ｂ各色毎の光量比率値に、当該光量比率値と対応する電流比率の（正比例関係からの）誤差を乗算することによって電流比率を算出する。
【００５８】
さらに、この誤差テーブルを輝度値変換部１４に与えて、この誤差分を各画素の輝度値に反映させて、光量の誤差を輝度値で補償するようにしてもよい。
この場合、光源ドライバ３は、光量制御係数ａで示される比率でそのまま電流を制御してＬＥＤ２２を点灯制御し、この制御により光量の誤差分を誤差テーブルで求め、この誤差分を映像信号の輝度値を増減して補償する。
なお、光量制御データテーブルまたは誤差テーブルは、ＬＥＤメーカから供給されるデータに基づいて作成してもよい。
【００５９】
（７）上述した実施形態においては、光量を制御するための光量制御係数ａと映像信号の輝度値を変換するための輝度値変換係数ｂとをＲ，Ｇ，Ｂ色毎に算出し、これらの変換係数を用いて輝度制御および光量制御を行うようにした。これに代えて、変換係数を算出するようにせず、Ｒ，Ｇ，Ｂ毎の輝度値のピーク値に基づいて輝度制御および光量制御を行うようにしてもよい。具体的には、例えば、ピーク値から輝度値を変換するための関数やアルゴリズムを用いて輝度値を変換するようにしてもよい。
【図面の簡単な説明】
【００６０】
【図１】電気光学装置の全体構成を示す図である。
【図２】映像信号処理部の構成を示すブロック図である。
【図３】光量制御データテーブルを説明するための図である。
【図４】光源ドライバの回路構成図である。
【図５】映像信号処理部の処理の流れを示すフローチャートである。
【図６】映像信号の変換および光源の光量制御の態様を説明するための図である。
【図７】映像信号処理部の処理の流れを示すフローチャートである。
【図８】映像信号処理部の処理の流れを示すフローチャートである。
【図９】映像信号処理部の処理の流れを示すフローチャートである。
【符号の説明】
【００６１】
１…映像信号処理部、２…表示デバイスドライバ、３…光源ドライバ、４…バックライト装置、５…表示デバイス、６…ＲＧＢデコーダ、７…拡散シート、１１…入力バッファ、１２…ピーク検出部、１３…係数算出部、１４…輝度値変換部、１５…光量決定部、１６…光量制御データテーブル、１７…出力バッファ、１８…光量制御データバッファ、２０…Ｄ／Ａコンバータ、２１…定電流回路、２２…ＬＥＤ、２５…フォトダイオード、２７…Ａ／Ｄコンバータ、１００…電気光学装置、１１６…画素、２１０…コンパレータ、２１１…電流制御トランジスタ、２１２…基準抵抗。
【図１】
2007233012.tif 000003
【図２】
2007233012.tif 000004
【図３】
2007233012.tif 000005
【図４】
2007233012.tif 000006
【図５】
2007233012.tif 000007
【図６】
2007233012.tif 000008
【図７】
2007233012.tif 000009
【図８】
2007233012.tif 000010
【図９】
2007233012.tif 000011